(57)【特許請求の範囲】
【請求項１】
ディスク状記録媒体の中央孔から先端面が突出して嵌入する保持部と、ディスク状記録媒体の側面を覆う側壁部とを備え、該側壁部におけるディスク状記録媒体との対向面の裏側の外面中央部及び上記保持部の先端面を強磁性体物品に磁気吸着力により取り付けるディスク状記録媒体保持具であって、
上記磁気吸着力は上記保持部内に装着された磁石部材によって確保すると共に、
上記保持部の外周部には少なくとも一つの弾性舌片が形成されていて該弾性舌片にディスク状記録媒体の中央孔を着脱自在に取り付け可能となし、
さらに、上記側壁部の外周には少なくとも一箇所の指掛け用切り欠き部が形成されていて
該指掛け用切り欠き部に指先を挿入することにより装着状態のディスク状記録媒体から楔状に分離させて取り外しを可能としたことを特徴とするディスク状記録媒体保持具
【請求項２】
上記弾性舌片は、保持部を形成する蓋部材における周囲を窪ませて形成した舌片収納部の下端から、断面が略Ｌ字状に空間部分を介在させて一体的に立ち上げて形成したことを特徴とする請求項１に記載のディスク状記録媒体保持具
【請求項３】
上記弾性舌片は、保持部を形成する蓋部材の周囲から窪ませて設けられた舌片収納部内に位置するように、側壁部材から一体的に突出させて形成したことを特徴とする請求項１に記載のディスク状記録媒体保持具
【請求項４】
上記弾性舌片は、側壁部材の中央部を突出させて一体的に設けられた保持部における周囲から窪ませて設けられた舌片収納部内へ、その上部に形成された舌片貫通用穴を貫通して位置するように、蓋部材の下面から突出させて形成したことを特徴とする請求項１に記載のディスク状記録媒体保持具
【発明の詳細な説明】
【技術分野】
【０００１】
本発明は、コンパクトディスク（ＣＤ／ｃｏｍｐａｃｔ  ｄｉｓｋ）、ＤＶＤ（ｄｉｇｉｔａｌ  ｖｅｒｓａｔｉｌｅ  ｄｉｓｋ）等のディスク状記録媒体の収納性を良くするディスク状記録媒体保持具に関するものである。
【背景技術】
【０００２】
ディスク状記録媒体であるコンパクトディスクを複数収納する技術として、コンパクトディスクをその中央穴に差し込む保持片によって保持すると共に該保持片の先端面及びコンパクトディスクの側面を覆う側壁部のコンパクトディスクとの対向面の裏側の外面中央部に磁気吸着力を有するコンパクトディスク保持具（以下、ディスク状記録媒体保持具という）を用いることにより、コンパクトディスクの中央穴の軸線方向にコンパクトディスクを収容した複数のディスク状記録媒体保持具を磁気吸着にて連結できることが、本出願人の先の出願による特許公開公報にて開示されている。（特許文献１参照）
【０００３】
なお、この特許公開公報はディスク状記録媒体保持具自体が磁石で構成される実施例の説明が主体であるが、磁石を別部材で覆う構成についても一部説明されていると共に請求の範囲もその構成を包含する内容となっている。
【０００４】
【特許文献１】特開２００３−１０９３４１号公報（４頁６欄９行〜６頁９欄４４行、図１〜図１８）
【発明の開示】
【発明が解決しようとする課題】
【０００５】
しかしながら、特許文献１で説明されている磁石を別部材で覆う構成の実施例は、この別部材がディスク状記録媒体を収容する保護カバー或は収容カバーしか示されておらず、カバー部材を用いないディスク状記録媒体保持具に適用する場合については、技術思想上はその構成も包含されるものの、具体的な構成が示されておらないため実施がしにくいものであった。また、ディスク状記録媒体保持具自体が磁石である場合は、色調等のデザイン的な付加価値等を表現しにくいので、商品性を高めるためにも磁石を別部材で覆うことができる具体的な構成のディスク状記録媒体保持具の開発が望まれていた。
また、その際に磁石を覆う別部材にディスク状記録媒体の保持機構が搭載されれば、より好ましい形態になるものと思料することができる。
【０００６】
そこで、本発明は磁石を別部材で覆う構成であって、さらに使用性を向上させることができるディスク状記録媒体保持具を提供することを課題とする。
【課題を解決するための手段】
【０００７】
本発明は、ディスク状記録媒体の中央孔から先端面が突出して嵌入する保持部と、ディスク状記録媒体の側面を覆う側壁部とを備え、側壁部におけるディスク状記録媒体との対向面の裏側の外面中央部及び保持部の先端面を強磁性体物品に磁気吸着力により取り付けるディスク状記録媒体保持具であって、この磁気吸着力は保持部内に装着された磁石部材によって確保すると共に、保持部の外周部には少なくとも一つの弾性舌片が形成されていて、この弾性舌片にディスク状記録媒体の中央孔を着脱自在に取り付け可能となし、さらに、側壁部の外周には少なくとも一箇所の指掛け用切り欠き部が形成されていて、この指掛け用切り欠き部に指先を挿入することにより、装着状態のディスク状記録媒体から楔状に分離させて取り外しを可能としたディスク状記録媒体保持具とすることで実現できる。
【０００８】
この構成によれば、磁石がディスク状記録媒体保持具内に収容されるために小型化し、生産コストを減少させることができると共に、ディスク状記録媒体保持具自体を自由な形状にデザインすることができる利点がある。
【０００９】
また、保持部の外周部には少なくとも一つの弾性舌片が形成されていることにより、ディスク状記録媒体の中央孔部を着脱自在に取り付けることができる。
【００１０】
さらに、側壁部の外周に形成された指掛け用切り欠き部は、簡単な構成であるにもかかわらず、ここに指先を挿入するだけで、楔を打ち込むような作用により、装着状態のディスク状記録媒体からディスク状記録媒体保持具を分離させることができる。
【００１１】
なお、この弾性舌片は、保持部を形成する蓋部材における周囲を窪ませて形成した舌片収納部の下端から、断面が略Ｌ字状に空間部分を介在させて一体的に立ち上げて形成するとよい。
【００１２】
また、弾性舌片は、保持部を形成する蓋部材の周囲から窪ませて設けられた舌片収納部内に位置するように、側壁部材から一体的に突出させて形成することもできる。
【００１３】
さらに弾性舌片は、側壁部材の中央部を突出させて一体的に設けられた保持部における周囲から窪ませて設けられた舌片収納部内へ、その上部に形成された舌片貫通用穴を貫通して位置するように、側壁部材の保持部の内面に形成される磁石部材収納部の開放面に取り付けられる部材であるところの蓋部材の下面から突出させて形成することもできる。
【発明の効果】
【００１４】
本発明によれば、ディスク状記録媒体保持具をディスク状記録媒体の中央穴の軸線方向に磁気吸着により連結することができるので、同時にディスク状記録媒体を同数個収納することができる。
特に本発明においては、磁石部材を小型化してディスク状記録媒体保持具の内部に収納した状態で取り付けることができるので、色調や形状や構造を自由に採択でき、商品性を向上させることができる。
【００１５】
また、保持部に弾性舌片を形成しているので、ディスク状記録媒体の保持を確実に行うことができる。
【００１６】
さらに、側壁部の外周に指掛け用切り欠き部を設けているので、ここに指先を挿入するだけで、装着状態のディスク状記録媒体からディスク状記録媒体保持具を楔状に分離させて取り外すことができるという利点がある。
【発明を実施するための最良の形態】
【００１７】
本発明は、ディスク状記録媒体の中央孔から先端面が突出して嵌入する保持部と、ディスク状記録媒体の側面を覆う側壁部とを備え、該側壁部におけるディスク状記録媒体との対向面の裏側の外面中央部及び上記保持部の先端面を強磁性体物品に磁気吸着力により取り付けるディスク状記録媒体保持具であって、磁気吸着力の確保は保持部に小型の磁石部材を使用することを基本構造としている。従って、ディスク状記録媒体保持具の形状や構造を自由に採択できるので、使用性を向上させることができる。
そして、この構成における保持部にディスク状記録媒体の着脱機構を搭載し、さらに、側壁部には、保持部に装着されたディスク状記録媒体を簡単に取り外すことができる指掛け用切り欠き部を形成させてディスク状記録媒体保持具として完成させたものである。
以下、各種実施例に沿って詳細に説明するが、最初にディスク状記録媒体の着脱機構並びに指掛け用切り欠き部以外の基本構造部分から行っていく。
【００１８】
図１〜図４は、本発明のディスク状記録媒体の着脱機構並びに指掛け用切り欠き部以外の基本構造部分を表わしたものであり、図１の分解斜視図、図２（ａ）の完成状態の斜視図、図２（ｂ）の拡大断面図に示されるように、ディスク状記録媒体保持具１は、側壁部材２、磁石部材３、蓋部材４で構成される。
【００１９】
側壁部材２はＡＢＳ樹脂等の合成樹脂製で、略円盤状に形成される側壁部５の内面６側にはディスク状記録媒体対向面６ａが平面状に形成され外周近傍には面取り部６ｂが設けられている。また、ディスク状記録媒体対向面６ａの略中央部にはディスク状記録媒体の中央穴より若干小さい外径の円筒状の保持部７及びその内面側に凹部７ａが形成され、側壁部５の外面８には、中央部が平面８ａで外周に向かって内面６側に傾く湾曲面８ｂが形成されている。なお、保持部７の内面には後述する蓋部材３を強制嵌合で取り付けるための溝部７ｂが全周に設けられている。
【００２０】
磁石部材３は、外形10.1ｍｍ厚さ1.54ｍｍ程度の磁石３ａと、外形10.1ｍｍ厚さ0.88ｍｍ程度の鉄板等の強磁性体でなるヨーク部材３ｂで構成される。
磁石３ａは、フェライト系焼結磁石、希土類系焼結磁石（ＳｍＣｏ系、ＮｄＦｅＢ系）、フェライト系ボンド磁石、希土類系ボンド磁石（ＳｍＣｏ系、ＳｍＦｅＮ系、ＮｄＦｅＢ系）等が用いられる。形状としては円盤形状の焼結品が吸着力、経済性の面から好ましく、その場合の材料としては例えばＮｄＦｅＢ系焼結磁石を使用したものが挙げられる。
【００２１】
なお、本発明に使用する磁石は、表面及び背面の中心が一致する状態で多数個磁気吸着できるように着磁される。この場合の着磁の方向は、厚み方向に着磁を施すと同様に着磁した同形状の他の磁石に対して中心を合わせて吸着する特性があるので好ましい。
【００２２】
また、磁石３ａにヨーク部材３ｂを重ねて使用した場合は、磁石３ａ単品の磁気吸着力と比較して、磁石３ａの露出側の磁気吸着力が向上しヨーク部材３ｂ露出側の磁気吸着力は減少する特性が生じるので、本実施例においては、側壁部材２の外面８側にヨーク部材３ｂを配置して、蓋部材４側のディスク状記録媒体保持具自体の磁気吸着力を向上させると共に、側壁部材２の外面８側への漏洩磁束を減少させるように使用する。
【００２３】
さらに、この磁石部材はディスク状記録媒体を保持できる所定の磁気吸着力を確保できればよいので、寸法等は適宜に決定してよく、場合によってはヨーク部材３ｂを省略してもよい。
【００２４】
蓋部材４はＡＢＳ樹脂等の合成樹脂製で、先端面４ｃ上に円筒状の外周壁４ａが設けられると共にその内側には磁石部材収納部９が形成されており、外側には上述した側壁部材２の溝部７ｂに強制嵌合する突起部４ｂが円周状に設けられている。
【００２５】
この状態から、蓋部材４の磁石部材収納部９内に磁石部材３である磁石３ａとヨーク部材３ｂを順に収納した状態で、蓋部材４を側壁部材２に形成された保持部７の内側に押し込むと蓋部材４の外周壁４ａに設けられた突起部４ｂが、側壁部材２の保持部７の内面に設けられた溝部７ｂに強制嵌合にて取り付けられるので、ディスク状記録媒体保持具１として完成する。
完成状態では、ディスク状記録媒体保持具１の保持部７の先端側に取り付けられる蓋部材４の先端面４ｃ及び側壁部材２における外面８の中央部の平面８ａは、磁石部材３によって、後述するように強磁性体物品に磁気吸着が可能となっており、複数のディスク状記録媒体保持具も中心を一致させた状態で磁気吸着によって連結できるようになっている。
【００２６】
なお、上述した側壁部材２及び蓋部材４の材料はＡＢＳ樹脂等の合成樹脂に限らず、磁気吸着力的に支障のないことを条件に、適宜な材料で実施することができる。
但し、使用する材料は、ディスク状記録媒体の基板（ポリカーボネート樹脂）や表面印刷面（ハードコート）に対して擦り傷がつきにくいように、表面硬度がそれらより低く、摩擦係数も小さいものが好ましい。
【００２７】
ディスク状記録媒体保持具１のディスク状記録媒体への収納は図３の取り付け説明用斜視図に示すように、ディスク状記録媒体保持具１の保持部７をディスク状記録媒体Ａの中央孔Ｂに差し込んだ状態で強磁性体性の物品に磁気吸着させることにより行われる。ここで云う強磁性体性の物品は、強磁性体製のラック、棚等の強磁性体物品Ｗは勿論のこと、本実施例と同様に作製されたディスク状記録媒体保持具１’も対象となる。従って、図３及び使用状態の図４に表わす拡大部分側面図に示すように、複数のディスク状記録媒体保持具１，１’．．．をディスク状記録媒体Ａの中心穴Ｂの軸線方向へ重ねる方向に磁気吸着で連結することができ、その間に収能されるディスク状記録媒体Ａも複数枚収納できることになる。
なお、ディスク状記録媒体保持具１を複数個重ねて使用した場合には、最初のディスク状記録媒体保持具の強磁性体への磁気吸着力は、ある個数までは向上していきその後ピーク状態で安定していく傾向にあるのでディスク状記録媒体を多数収納しても強度上の問題は生じない。
【００２８】
また、ディスク状記録媒体保持具１を複数個磁気吸着で連結した状態においては、側壁部材２の外面８における平面８ａへ、他のディスク状記録媒体保持具１’における保持部の先端に取り付けられた蓋部材の先端面４ｃが磁気吸着されているが、側壁部材２の外面８には平面８ａから連続して湾曲面８ｂが形成されており、磁気吸着力を保った状態でその間をスムーズに回動させて開くことができるので、ディスク状記録媒体Ａの表示を簡単に見ることができる（想像線の図形参照）。
また、開く操作を止めれば磁気吸着力の作用で自動的に通常の直線状の連結状態に戻ることになる。
【実施例１】
【００２９】
次に、本発明の各実施例について詳細に説明する。
ただし、上述した基本構造部分と共通する内容については説明を割愛する。
【００３０】
図５〜図６は、本発明の実施例１を表わし、図５（ａ）は分解斜視図、図５（ｂ）は完成状態の斜視図、図５（ｃ）は部分断面拡大底面図、図５（ｄ）は図５（ｃ）の縦中央断面図、図６（ａ）はディスク状記録媒体の取り付け手順を示す部分拡大断面図、図６（ｂ）はディスク状記録媒体取り付け状態の縮小底面図を示す。
【００３１】
図５（ａ）〜図５（ｄ）に示すように、この実施例のディスク状記録媒体保持具６１は、側壁部材６２、磁石部材６３、蓋部材６４で構成される。
蓋部材６４は、外周を立ち上げて保持部６７が設けられ、その外周面には３箇所の凹部で形成される舌片収納部６７ｅ，６７ｅ，６７ｅが設けられており、そこへ上部に突部６７ｄ，６７ｄ，６７ｄを備えた弾性舌片６７ｃ，６７ｃ，６７ｃが、空間部分６７ｆ，６７ｆ，６７ｆを介して先端面６４ｃ側を開放するように各舌片収納部６７ｅの下端から、図９（ｄ）に示すように若干浮かした位置から、断面が略Ｌ字状で一体的に立ち上げる形体で設けられている。
なお、各弾性舌片６７ｃ，６７ｃ，６７ｃ間で形成される突部６７ｄ，６７ｄ，６７ｄの外径はディスク状記録媒体の中央孔より大きくなっており、その根元の径はディスク状記録媒体の中央孔と同等か若干小さく形成される。
また、蓋部材６４の各舌片収納部６７ｅ，６７ｅ，６７ｅの内面には磁石部材収納部６９が形成される。
【００３２】
一方、側壁部材６２における側壁部６５の内面６６の中央部には、蓋部材６４の下端部が嵌合する凹部６２ａが設けられ、そこにガイド片６２ｂ，６２ｂ，６２ｂが立設されている。このガイド片６２ｂ，６２ｂ，６２ｂは蓋部材６４の円周方向の位置決めをするためのものであり、図５（ｃ）に示すように外面は蓋部材６４の保持部６７の内面に沿うようになっており、また、各ガイド片６２ｂの間の切り欠き６２ｃ，６２ｃ，６２ｃは蓋部材６４の弾性舌片６７ｃ，６７ｃ，６７ｃの根元が嵌入する寸法に形成されている。
なお、各ガイド片６２ｂ，６２ｂ，６２ｂの内側にも蓋部材６４と同様の磁石部材収納部６９’が形成される。
また、この実施例においては、蓋部材６４の舌片収納部６７ｅにおける弾性舌片６７ｃと円周方向に対向する面が切り欠かれているが、この面を封じる形体としても良く、その場合には封じた内面と嵌合するように側壁部材６２のガイド片６２ｂ，６２ｂ，６２ｂ間の切り欠き寸法を定めればよい。
さらに側壁部材６２の側壁部６５の外周部には円弧状の切り欠き６５ａがあるが、これはディスク状記録媒体を装着した際に着脱し易くするための指掛け用切り欠き部である。
【００３３】
この状態から、磁石部材６３を構成する磁石６３ａ及びヨーク部材６３ｂを蓋部材６４の内面に設けられた磁石部材収納部６９へ順に挿入するか側壁部材６２に設けられた磁石部材収納部６９’に逆の順で挿入する。次いで、蓋部材６４を側壁部材６２のガイド片６２ｂ，６２ｂ，６２ｂに沿って差し込んだ状態で側壁部材６２と接着剤にて固定することにより、図５（ｂ）に示すようなディスク状記録媒体保持具６１が完成する。
なお、蓋部材６４と側壁部材６２の固定構造は、接着剤に限らず、超音波接着や先の各実施例に示した強制嵌合等適宜な手段で実施してよい。
【００３４】
本実施例のディスク状記録媒体保持具６１にディスク状記録媒体を取り付ける手順は、図６（ａ）のように実線で示すディスク状記録媒体Ａの中央孔Ｂを保持部６７に近接した状態から矢印方向に差し込むことで実行される（取り付け状態は想像線の図形参照）。この時、保持部６７に形成された弾性舌片６７ｃは空間部６７ｆ及び下部が浮いた状態になっていることにより変位がしやすくなっており、ディスク状記録媒体Ａの中央孔Ｂは弾性舌片６７ｃの先端の突部６７ｄが押し下げられたのち元に戻る時に生じるクリック感触を得ながら通過できるし、反対に、通過した状態から逆の方向に引っ張れば弾性舌片６７ｃの先端の突部６７ｄが押し下げられことにより外すことができる。従って、ディスク状記録媒体はディスク状記録媒体保持具６１の保持部６７に着脱自在に取り付けることができる。
【００３５】
但し、ディスク状記録媒体保持具６１に装着されたディスク状記録媒体Ａを取り外す操作は、上述したように直接的に行おうとした場合には、ディスク状記録媒体保持具６１における側面部材６２の外形が小さく、且つ、厚みも薄いため把持しにくくて意外と実行しにくいものであるが、本実施例であれば簡単に実行することができる。
即ち、図６（ａ）に示すように、ディスク状記録媒体保持具６１にディスク状記録媒体Ａが取り付けられた状態において、ディスク状記録媒体Ａの外周を片方の手で把持し、他方の手の指先を図中Ｈに示す矢印のように指掛け用切り欠き部６５ａに差し込むと、ディスク状記録媒体保持具６１とディスク状記録媒体Ａとの間には楔が打ち込まれるような現象が起こってスムーズに分離するため、ディスク状記録媒体保持具６１をディスク状記録媒体Ａから簡単に取り外すことができる。
【００３６】
なお、本実施例における弾性舌片６７ｃは３箇所設けられており、図６（ｂ）に示すように、ディスク状記録媒体保持具６１の保持部６７の中心と略一致する状態でディスク状記録媒体Ａが取り付けられる。
【実施例２】
【００３７】
図７は本発明の実施例２を表わし、図７（ａ）の分解斜視図、図７（ｂ）の完成状態の斜視図、図７（ｃ）の中央拡大断面図に示されるように、実施例１における弾性舌片の設置構造を変更したことを特徴としている。
即ち本実施例におけるディスク状記録媒体保持具７１も、側壁部材７２、磁石部材７３、蓋部材７４で構成されるが、弾性舌片７２ｄは側壁部材７２に直接形成される。
【００３８】
具体的に説明すると、蓋部材７４には外周を立ち上げて保持部７７が設けられ、その外周面には３箇所の凹部で形成される舌片収納部７７ｅ，７７ｅ，７７ｅが設けられており、保持部７７の内面には舌片収納部を避けた３つの面に図１１（ｃ）に表わされる溝部７７ｂが設けられている。また、舌片収納部７７ｅ，７７ｅ，７７ｅの内面側に磁石部材収納部７９’が形成される。
一方、側壁部材７２における側壁部７５の内面７６の中央部には、突部７２ａを有する蓋部材取り付け片７２ｂ，７２ｂ，７２ｂが立設されており、その内側に磁石部材収納部７９が形成される。
また、各蓋部材取り付け片７２ｂの中間に上記蓋部材７４の舌片収納部７７ｅ内に位置する突部７２ｃを有した弾性舌片７２ｄ，７２ｄ，７２ｄが立設される。
なお、側壁部材７２の側壁部７５の外周部には指掛け用切り欠き部７５ａ，７５ａが設けられている。
【００３９】
この状態から、磁石部材７３を構成するヨーク部材７３ｂ及び磁石部材７３ａを側壁部材７２に設けられた磁石部材収納部７９へ順に挿入し、次いで、蓋部材７４の溝部７７ｂを側壁部材７２の蓋部材取り付け片７２ｂに形成された突部７２ａに強制嵌合させることにより、側壁部材７２と蓋部材７４とは磁石部材７３が収納された状態で図７（ｂ）及び図７（ｃ）に示すようなディスク状記録媒体保持具７１に仕上がる。
この時、側壁部材７２の弾性舌片７２ｄ，７２ｄ，７２ｄは、蓋部材７４の舌片収納部７７ｅ，７７ｅ，７７ｅの各中央部に隙間をもって立設することになるので変位は容易であり、ディスク状記録媒体の着脱を自由にできることになる。
【実施例３】
【００４０】
図８は本発明の実施例３を表わし、図８（ａ）の分解斜視図、図８（ｂ）の完成状態の斜視図、図８（ｃ）の中央拡大断面図に示されるように、この実施例も実施例１における弾性舌片の設置構造を変更したことを特徴としている。
なお、本実施例においては指掛け用切り欠き部の構成を省略して説明するものとする。
即ち本実施例におけるディスク状記録媒体保持具８１も、側壁部材８２、磁石部材８３、蓋部材８４で構成されるが、弾性舌片８４ｇは蓋部材８４に形成される。
【００４１】
具体的に説明すると、側壁部材８２における側壁部８５の内面８６の略中央には保持部８７が一体的に突出して形成され、その外周面には３箇所の凹部で形成される舌片収納部８７ｅ，８７ｅ，８７ｅが設けられており、保持部８７の内面には収納部を避けた３つの面に図８（ｃ）に表わされる溝部８７ｂが設けられている。なお、保持部８７の内面側には外面側が開放された磁石部材収納部８９が形成される。また、各舌片収納部８７ｅにおける上方の側壁部８５の内面８６を形成する部分には、後述する蓋部材８４の弾性舌片８４ｇが挿通可能な貫通穴８７ｈが設けられる。
一方、蓋部材８４の内面の中央部には、突部８４ｄを有する側壁部材取り付け片８４ｅ，８４ｅ，８４ｅが立設されており、各側壁部材取り付け片８４ｅの中間に上記側壁部材８２の舌片収納部８７ｅ内に配置される突部８４ｆを有する弾性舌片８４ｇ，８４ｇ，８４ｇが立設される。
【００４２】
この状態から、磁石部材８３を構成する磁石部材８３ａ及びヨーク部材８３ｂを側壁部材８２に設けられた磁石部材収納部８９へ順に挿入し、次いで、蓋部材８４の側壁部材取り付け片８４ｅの突部８４ｄを側壁部材８２の保持部８７の内面に形成した溝部８７ｂに強制嵌合させることにより、側壁部材８２と蓋部材８４とは磁石部材８３が収納された状態で図８（ｂ）及び図８（ｃ）に示すようなディスク状記録媒体保持具８１に仕上がる。
この時、蓋部材８４の弾性舌片８４ｇ，８４ｇ，８４ｇは、側壁部材８２の舌片収納部８７ｅ，８７ｅ，８７ｅの各中央部に隙間をもって立設することになるので変位は容易であり、ディスク状記録媒体の着脱を自由に行うことができる。
【実施例４】
【００４３】
本発明においては、上述した実施例１〜実施例２に示した弾性舌片及び指掛け用切り欠き部の数や位置及び形状は、これらの実施例に限らず各種に変形して実施することができるものであり、代表的な形態について説明する。
図９（ａ）は本発明の実施例４を表わす底面図であり、このディスク状記録媒体保持具９１の弾性舌片９２及び指掛け用切り欠き部９３は各々３箇所を同一角度方向とし、円周上均等に設けたものである。
以下、図９（ｂ）〜図９（ｅ）は他の変形を、実施例４の変形例として示したものであり、図９（ｂ）に示す変形例１では、実施例４における指掛け用切り欠き部の形状を直線状の９３ｂに形成している。
また、図９（ｃ）に示す変形例２では、弾性舌片９２ｃを４箇所とし指掛け用切り欠き部９３ｃを２箇所設けている。
また、図９（ｄ）に示す変形例３では、弾性舌片９２ｄを２箇所とし指掛け用切り欠き部９３ｄを２箇所設けている。
また、図９（ｅ）に示す変形例４では、弾性舌片９２ｅ及び指掛け用切り欠き部９３ｅを各々１箇としている。
【００４４】
本発明は、これまで説明した各実施例及び変形例に限らず各種に変形して実施することができる。
例えば、実施例２〜実施例３における側壁部材と蓋部材の結合を強制嵌合以外の接着剤や超音波による接着構造としても良いし、各実施例における各ディスク状記録媒体保持具は、磁石部材を収納する部材にインサート成形して一体成形品に仕上げてもよい。
【産業上の利用可能性】
【００４５】
本発明は、穴付きの板状で磁気障害を生じないものであれば、各種用途の物品の収納具として応用することができる。
【図面の簡単な説明】
【００４６】
【図１】本発明における基本構造部分の分解斜視図を示す。
【図２】本発明における基本構造部分の完成状態を説明したものであり、（ａ）は完成状態の斜視図、（ｂ）は拡大断面図を示す。
【図３】本発明における取り付け説明用斜視図を示す。
【図４】本発明における使用状態の拡大部分側面図を示す。
【図５】本発明の実施例１を表わし、（ａ）は分解斜視図、（ｂ）は完成状態の斜視図、（ｃ）は部分断面拡大底面図、（ｄ）は（ｃ）の縦中央断面図を示す。
【図６】本発明の実施例１の説明図を表わし、（ａ）はディスク状記録媒体の取り付け手順を示す部分拡大断面図、（ｂ）はディスク状記録媒体取り付け状態の底面図を示す。
【図７】本発明の実施例２を表わし、（ａ）は分解斜視図、（ｂ）は完成状態の斜視図、（ｃ）は中央拡大断面図を示す。
【図８】本発明の実施例３を表わし、（ａ）は分解斜視図、（ｂ）は完成状態の斜視図、（ｃ）は中央拡大断面図を示す。
【図９】本発明の実施例４及びその変形例の底面図を表わし、（ａ）は実施例４、（ｂ）は変形例１、（ｃ）は変形例２、（ｄ）は変形例３、（ｅ）は変形例４を示す。
【符号の説明】
【００４７】
Ａ  ディスク状記録媒体
Ｂ  中央孔
Ｈ  指先を差し込む方向
Ｗ  強磁性体物品
１、１’、６１、７１、８１、９１  ディスク状記録媒体保持具
２、６２、７２、８２  側面部材
３、６３、７３、８３  磁石部材
３ａ、６３ａ、７３ａ、８３ａ  磁石
３ｂ、６３ｂ、７３ｂ、８３ｂ  ヨーク部材
４、６４、７４、８４  蓋部材
４ａ  外周壁
４ｂ  突起部
４ｃ、４ｃ’、６４ｃ  先端面
５、６５、７５、８５  側壁部
６、６６、７６、８６  内面
６ａ  ディスク状記録媒体対向面
６ｂ  面取り部
７、６７、７７、８７  保持部
７ａ  凹部
７ｂ、７７ｂ、８７ｂ  溝部
８  外面
８ａ  平面
８ｂ  湾曲面
９、６９、７９、７９’、８９  磁石部材収納部
６２ａ  凹部
６２ｂ  ガイド片
６２ｃ  切り欠き
６５ａ、７５ａ、９３、９３ｂ、９３ｃ、９３ｄ、９３ｅ  指掛け用切り欠き部
６７ｃ、７２ｄ、８４ｇ、９２、９２ｃ、９２ｄ、９２ｅ  弾性舌片
６７ｄ、７２ｃ、８４ｆ  突部
６７ｅ、７７ｅ、８７ｅ  舌片収納部
６７ｆ  空間部分
７２ａ  突部
７２ｂ  蓋部材取り付け片
８２ａ  溝部
８４ｄ  突部
８４ｅ  壁部材取り付け片
８７ｈ  貫通孔
【図１】
0004308118.tif 000002
【図２】
0004308118.tif 000003
【図３】
0004308118.tif 000004
【図４】
0004308118.tif 000005
【図５】
0004308118.tif 000006
【図６】
0004308118.tif 000007
【図７】
0004308118.tif 000008
【図８】
0004308118.tif 000009
【図９】
0004308118.tif 000010